(57)【要約】【課題】  器具本体内からの漏水が防止可能なミスト発生装置を提供する。【解決手段】  器具本体１内に設置された内トレー９（貯水室）を排水口ガイド３２から取り外して清掃し、排水口ガイド３２上に再度装着する時、内トレー９（貯水室）下部に形成された排水口２４の筒部２５とリング部２６とが排水パッキン３４の筒密着部３５とリング密着部３６とに接触し、排水バルブ２８が排水突起３３に当接して上昇することで内トレー９（貯水室）内の貯水が排水口ガイド３２へ流入して、排水パッキン３４によって排水口２４と排水口ガイド３２との接続部から水が漏れることを防止できため、内トレー９（貯水室）内の水が排水口ガイド３２から漏れ出して器具本体１の外部に漏水することがなく、安心して使用することができる。【選択図】  図４
2015094544.tif 000002
【特許請求の範囲】
【請求項１】
器具本体と、該器具本体内に設置され所定量の水を貯水する貯水室と、前記器具本体内にある給水タンク収納室に設置され前記貯水室内へ水を供給する給水タンクと、前記貯水室の底部に形成された排水口と接続して前記貯水室の水を排水する排水管と、該排水管と前記貯水室との間に設置され、前記排水口を所定の設置場所へ案内する排水口ガイドと、前記貯水室内の貯水を破砕してナノミストと負イオンを発生させるミスト発生部と、該ミスト発生部で発生したナノミストと負イオンを含んだ加湿空気を室内に送風する送風ファンと、該送風ファンを駆動させ前記器具本体に形成された送風口から前記ミスト発生部で発生したナノミストと負イオンを含んだ加湿空気を送風するミスト運転を実施する制御部とを備えたミスト発生装置において、前記貯水室を取り外し可能とし、前記排水口と前記排水口ガイドとの間に、前記貯水室と前記排水管との間からの漏水を防止する漏水防止手段を設置したことを特徴とするミスト発生装置。
【請求項２】
前記漏水防止手段は、前記排水口の一部を構成する筒部の外側面に密着する筒密着部と、前記排水口の一部を構成し、前記筒部の外周上側に形成されたリング部の底面に密着するリング密着部とを備え、前記排水口ガイド上に設置された排水パッキンであることを特徴とする請求項１記載のミスト発生装置。
【請求項３】
前記ミスト発生部は、前記貯水室内に下端を水没させ、回転により水を汲み上げて飛散させる筒状の回転体と、該回転体を回転駆動させるミストモータと、前記回転体の回転により飛散された水が衝突する衝突体とで構成されていることを特徴とする請求項１から３のいずれか１つに記載のミスト発生装置。
【発明の詳細な説明】
【技術分野】
【０００１】
この発明は、ナノミストと負イオンを含んだ加湿空気を発生させるミスト発生装置に関するものである。
【背景技術】
【０００２】
従来、この種のものでは、器具本体内に設置されたミスト発生部によってナノミストと負イオンを発生させ、室内にナノミストと負イオンを含む加湿空気を送風するミスト運転を行うものがあり、ミスト運転終了後に給水タンクを抜いて器具本体に設置された排水レバーを操作し、貯水室内の水を排水トレー内に排水することで、貯水室内に水を残さず菌の発生を防止するものがあった。（例えば、特許文献１）
【先行技術文献】
【特許文献】
【０００３】
【特許文献１】特開２０１２−１２７５８９号公報
【発明の概要】
【発明が解決しようとする課題】
【０００４】
しかし、この従来のものでは、貯水室を器具本体内から取り出すことができなかったので、貯水室内の水から析出するカルキや室内から取り込んだ空気に混合するほこり等を貯水室から完全に取り除くことができず、また、器具本体内から貯水室を取り出し可能な構造に変更すると、貯水室を器具本体内に設置及び取り外す時、貯水室内の水が器具本体との接続箇所から漏れ出して、器具本体の設置面を濡らしてしまう問題があった。
【課題を解決するための手段】
【０００５】
上記課題を解決するために、本発明の請求項１では、器具本体と、該器具本体内に設置され所定量の水を貯水する貯水室と、前記器具本体内にある給水タンク収納室に設置され前記貯水室内へ水を供給する給水タンクと、前記貯水室の底部に形成された排水口と接続して前記貯水室の水を排水する排水管と、該排水管と前記貯水室との間に設置され、前記排水口を所定の設置場所へ案内する排水口ガイドと、前記貯水室内の貯水を破砕してナノミストと負イオンを発生させるミスト発生部と、該ミスト発生部で発生したナノミストと負イオンを含んだ加湿空気を室内に送風する送風ファンと、該送風ファンを駆動させ前記器具本体に形成された送風口から前記ミスト発生部で発生したナノミストと負イオンを含んだ加湿空気を送風するミスト運転を実施する制御部とを備えたミスト発生装置において、前記貯水室を取り外し可能とし、前記排水口と前記排水口ガイドとの間に、前記貯水室と前記排水管との間からの漏水を防止する漏水防止手段を設置したものである。
【０００６】
また、請求項２では、前記漏水防止手段は、前記排水口の一部を構成する筒部の外側面に密着する筒密着部と、前記排水口の一部を構成し、前記筒部の外周上側に形成されたリング部の底面に密着するリング密着部とを備え、前記排水口ガイド上に設置された排水パッキンであるものである。
【０００７】
また、請求項３では、前記ミスト発生部は、前記貯水室内に下端を水没させ、回転により水を汲み上げて飛散させる筒状の回転体と、該回転体を回転駆動させるミストモータと、前記回転体の回転により飛散された水が衝突する衝突体とで構成されているものである。
【発明の効果】
【０００８】
この発明の請求項１によれば、貯水室を取り外し可能とし、排水口と排水口ガイドとの間に、貯水室と排水管との間からの漏水を防止する漏水防止手段を設置したので、器具本体内から貯水室を取り出して洗浄することができることから衛生的であり、貯水室と排水管との間から貯水室内の水が器具本体の外部へ漏れ出すことがないため、器具本体の設置面が濡れることを防止できる。
【０００９】
また、請求項２によれば、漏水防止手段は、排水口の一部を構成する筒部の外側面に密着する筒密着部と、排水口の一部を構成し、筒部の外周上側に形成されたリング部の底面に密着するリング密着部とを備え、排水口ガイド上に設置された排水パッキンであるので、排水口と排水管との間が確実に密着して、貯水室と排水管との間から水が漏れ出すことがないため、器具本体の設置面が濡れるのを防止できる。
【００１０】
また、請求項３によれば、ミスト発生部は、貯水室に下端を水没させ、回転により水を汲み上げて飛散させる筒状の回転体と、該回転体を回転駆動させるミストモータと、回転体の回転により飛散された水が衝突する衝突体とで構成されているので、貯水室内の水を回転体で汲み上げて衝突体に衝突させる簡易な構成によってナノミストと負イオンを多量に発生させることができるため、組付けが容易であり低コストでミスト発生部を構成できる。
【図面の簡単な説明】
【００１１】
【図１】この発明の一実施形態の外観を説明する斜視図
【図２】同実施形態の概略構成図
【図３】同実施形態の制御ブロック図
【図４】同実施形態の排水口と排水口ガイドとを説明する要部拡大図
【図５】同実施形態の内トレー（貯水室）と排水口ガイドとの接続を説明する図
【図６】この発明の別実施形態における排水パッキンを説明する図
【発明を実施するための形態】
【００１２】
次に、この発明の一実施形態におけるミスト発生装置を図に基づいて説明する。
１は器具本体であり、該器具本体１の下面を構成する下面ケース２と、上面を構成する上面ケース３とで構成されている。
【００１３】
４は器具本体１内で発生した加湿空気を室内に放出する送風口、５は器具本体１の正面に引き出し用の取っ手が形成され、器具本体１内で発生した排水を所定量だけ貯留する排水トレー、６は器具本体１の上面に形成され開閉自在の給水タンク扉、７は各種操作用のスイッチが設置された操作部である。
【００１４】
８は器具本体１内に固定された外トレー、９は外トレー８上部に対して装着や取り外しが可能であり、所定量の水を貯めることができる貯水室としての内トレーである。
【００１５】
１０は所定量の水をタンク内に貯水可能なカートリッジ式の給水タンク、１１は給水タンク扉６の下部に形成され、給水タンク１０を収納するための給水タンク収納室、１２は給水タンク１０の先端に装着された給水蓋であり、給水蓋１２の図示しない流入口が給水突起１３で持ち上げられることで、給水タンク１０内の水を内トレー９（貯水室）へ供給することができる。
【００１６】
１４は前記内トレー９（貯水室）の貯水に下端を水没させ、駆動軸１５に軸支された筒状の回転体であり、回転体１４は略中央部で駆動軸１５の端部と図示しないナットで固定されており、ナットを外して回転体１４を取り外した後に、前記内トレー９（貯水室）を前記外トレー８から取り外すことができる。
【００１７】
前記回転体１４は、中空逆円錐形で上方に向かって径が徐々に拡大するものであり、駆動軸１５に接続され回転体１４を回転駆動させるミストモータ１６を駆動させ、回転体１４が回転することでの回転の遠心力で内トレー９（貯水室）内の貯水を汲み上げ、回転体１４の外壁および内壁を伝わせて水を押し上げて、回転体１４の外壁を伝わせて押し上げた水を周囲に飛散させると共に、回転体１４の内壁を伝わせて押し上げた水を回転体１４の上端に形成された複数の図示しない飛散口から周囲に飛散させる。
【００１８】
１７は回転体１４の上部外周に所定間隔を離間させて位置し、回転体１４と共に回転する円筒状の多孔体で、該多孔体１７には、その全周壁に多数のスリットや金網やパンチングメタル等から成る衝突体としての多孔部１８が設置されており、前記回転体１４、前記ミストモータ１６及び前記多孔部１８でミスト発生部が構成されている。
【００１９】
前記ミスト発生部を構成するミストモータ１６を駆動させ、回転体１４を回転させたことで発生する遠心力で内トレー９（貯水室）内の水を汲み上げると共に空気を飛散させ、多孔部１８を通過した水滴が破砕されることで、水の粒子を微細化してナノメートル（ｎｍ）サイズのミストが生成すると共に、水の粒子の微細化によるレナード効果で負イオンを多量に発生させるものである。
【００２０】
１９は所定の回転数で駆動する送風ファンであり、図示しない吸い込み口から吸い込んだ室内空気を吹き出して、内トレー９（貯水室）を通過させて送風口４から送風することで、内トレー９（貯水室）内で発生させたナノミストと負イオンを含んだ加湿空気を室内に供給する。
【００２１】
２０は内トレー９（貯水室）の底部を構成するポットの外壁に固定され、前記ポットを介して内トレー９（貯水室）内の水を間接的に加熱する加熱ヒータ、２１は前記ポットの外壁に貯水バネ２２によって押し当てられ、内トレー９（貯水室）内の貯水温度を検知する貯水温度センサであり、該貯水温度センサ２１での検知温度が所定温度となるよう、加熱ヒータ２０のＯＮ／ＯＦＦ状態を適宜切り替えて貯水温度を調節する。
【００２２】
２３は内トレー９（貯水室）内に設置され、フロートが上下することで水位を検知する貯水フロートであり、内トレー９（貯水室）内の水位が低下して所定水位以下になったらＯＮ信号を出力し、水位が上昇して所定水位以上になったらＯＦＦ信号を出力することで、内トレー９（貯水室）内の水位を確認する。
【００２３】
２４は内トレー９（貯水室）の底部に形成された排水口であり、該排水口２４は、略円筒状の筒部２５と、該筒部２５の外周上側に形成された略鍔状のリング部２６とで構成されており、内トレー９（貯水室）と排水口２４との間にゴム製の内トレーパッキン２７が密着されていることで、内トレー９（貯水室）内の水が内トレー９（貯水室）と排水口２４との接続面から漏れ出すことがない。
【００２４】
２８は内トレー９（貯水室）と排水口２４との接続部に設置され、円筒状のバルブ支持筒２９内を上下に動作可能な排水バルブであり、排水バルブ２８は、内トレー９（貯水室）上にある弁座と密着することで内トレー９（貯水室）からの排水を防止する弁部３０と、排水バルブ２８を閉じる方向に弁部３０を付勢する排水バネ３１とを備えている。
【００２５】
３２は外トレー８の下部と接続し、前記排水口２４の筒部２５を所定の設置場所へ案内する断面十字形状の排水突起３３を略中央に備えた排水口ガイドであり、内トレー９（貯水室）が排水口ガイド３２上に装着されると、排水バルブ２８の下端が排水突起３３の上端に当接して上方に持ち上げられることで隙間ができ、内トレー９（貯水室）内の水が排水口ガイド３２へ流入可能となる。
【００２６】
３４は前記排水口２４と前記排水口ガイド３２との間に設置され、ゴム等の弾性体で構成された漏水防止手段としての排水パッキンであり、内トレー９（貯水室）が排水口ガイド３２に装着された時、筒部２５と密着するよう内周方向へ先端を突き出した筒密着部３５と、リング部２６と密着する蛇腹状のリング密着部３６とで構成されている。
【００２７】
３７は排水口ガイド３２と接続され、配管途中に電磁式の排水弁３８が設置された排水管であり、内トレー９（貯水室）が排水口ガイド３２に装着されると排水突起３３によって排水バルブ２８が持ち上げられ、内トレー９（貯水室）内の水が排水口ガイド３２を通過して排水管３７内に流入し、排水管３７の端部から排水トレー５に流入することで、内トレー９（貯水室）内の水を排水して排水トレー５内に回収することができる。
【００２８】
３９は排水トレー５の側面に設置され、マグネット４０の接続有無によってＯＮ／ＯＦＦ状態を切り替えることで、排水トレー５内に所定量以上の水が貯留して満水か判断可能な近接センサ方式の排水センサであり、排水トレー５内に所定量以上の排水が貯留してマグネット４０が排水センサ３９から離れたらＯＮ信号を出力して満水を検知し、排水弁３８を閉止させて排水管３７からの水の流入を防止することで、排水トレー５から水が溢れることを防止するため、器具本体１の設置面を濡らすことがない。
【００２９】
４１は外トレー８の下部にあり、排水管３７に沿って平行に設置された排水案内板であり、排水口２４と排水口ガイド３２との間から溢れ出した水を回収して排水トレー５まで案内可能であり、器具本体１の設置面を濡らすことがない。
【００３０】
４２は各センサで検知された検知値や操作部７上に備えられた各スイッチでの設定内容に基づき、運転内容や弁の開閉を制御するマイコンで構成された制御部であり、ミストモータ１６を所定の回転数で駆動させるミストモータ制御手段４３と、送風ファン１９を所定の回転数で駆動させる送風ファン制御手段４４と、給水タンク１０内の水を内トレー９（貯水室）へ流入開始してから経過した時間等をカウントする計時手段４５とが備えられている。
【００３１】
次に、内トレー９（貯水室）を外トレー８上へ装着する時の各部の動作に関して図５に基づいて説明する。
まず、内トレー９（貯水室）を排水口ガイド３２から取り外して清掃等の作業をし終えたら、図５の（ａ）で示すように、排水口ガイド３２の排水突起３３上に排水口２４を嵌め合わすようにして、内トレー９（貯水室）を排水口ガイド３２方向へ降下させる
【００３２】
次に図５の（ｂ）で示すように、排水口２４の筒部２５の内方に排水突起３３が徐々に嵌め合わさり、筒部２５の先端部分が排水パッキン３４の筒密着部３５に接触し始める。
【００３３】
次に図５の（ｃ）で示すように、筒部２５が排水突起３３の下部方向へ徐々に嵌め込まれることに伴って、筒密着部３５が筒部２５によって下方向へ折れ曲がり、リング部２６の底面とリング密着部３６の先端とが接触することで、排水パッキン３４により排水口２４と排水口ガイド３２との間が密閉され、筒部２５内に設置された排水バルブ２８の底面が排水突起３３の上面と接触する。このとき、排水バルブ２８は閉止状態を保っている。
【００３４】
次に図５の（ｄ）で示すように、内トレー９（貯水室）の底面が外トレー８の上面と接触して内トレー９（貯水室）の降下が停止し、リング部２６の底面と接触するリング密着部３６が畳まれた状態になって密着し、排水バルブ２８が排水突起３３によって押し上げられて弁座から離れ、内トレー９（貯水室）と排水口２４との間に隙間が形成されることで、内トレー９（貯水室）内の水が排水口２４から排水口ガイド３２へ流入し、排水管３７へ案内される。このとき、排水パッキン３４の筒密着部３５及びリング密着部３６が排水口２４と密着していることで、排水口２４から排水口ガイド３２へ流入した水が排水パッキン３４の外へ漏れ出すことがない。
【００３５】
そして、内トレー９（貯水室）を排水口ガイド３２上に装着したら、回転体１４を駆動軸１５上に設置してナットで固定し、下面ケース２上に嵌め合わさるように上面ケース３を設置し、給水タンク１０をタンク収納室１１の所定位置に設置することで給水タンク１０内の水を内トレー９（貯水室）へ供給し、貯水フロート２３がＯＦＦ信号を出力したら、所定量以上の水が給水されたとして回転体１４を駆動させてナノミストとマイナスイオンを放出する加湿運転が開始可能な状態となる。
【００３６】
また、内トレー９（貯水室）を取り外す時は、給水タンク１０を器具本体１内から取り出してから上面ケース３を下面ケース２から取り外し、駆動軸１５のナットを外してから回転体１４を取り外した後に内トレー９（貯水室）を持ち上げることで、内トレー９（貯水室）を外トレー８と分離することができる。
【００３７】
次に、内トレー９（貯水室）を外トレー８上から取り外す時における各部の動作に関して図５に基づいて説明する。
まず、図５の（ｄ）の状態から内トレー９（貯水室）を（ｃ）の状態になるまで持ち上げると、排水バルブ２８が弁座に当接して内トレー９（貯水室）から排水口ガイド３２への水の流入が停止し、排水パッキン３４の筒密着部３５及びリング密着部３６が排水口２４と密着していることで、内トレー９（貯水室）内の水が排水口ガイド３２へ流入し続けても、排水パッキン３４の外部に漏れ出すことがない。
【００３８】
そして、図５の（ｃ）から（ｂ）の状態まで内トレー９（貯水室）を持ち上げると、（ｃ）の状態で排水バルブ２８が閉止するまで内トレー９（貯水室）内から流入した水が排水口ガイド３２に残るが、排水パッキン３４の筒密着部３５及びリング密着部３６で形成される筒状部の容積の方が、（ｃ）の状態で排水バルブ２８が閉止する位置までの筒部２５の容積よりも大きいため、排水パッキン３４から水が溢れ出すことがなく、器具本体１の設置面を濡らすことがない。
【００３９】
次に、この発明の別実施形態について説明する。
図６で示すように、排水パッキン３４のリング密着部３６について、先端の内径が下部の内径よりもａだけ小さくなるよう形成することで、内トレー９（貯水室）を排水口ガイド３２に嵌め込む時、リング密着部３６がリング部２６の底部によって下方向へ力を受けても、筒部２５に巻き込まれてリング密着部３６がねじれることがないため、排水口２４と排水口ガイド３２間の接続を確実にして水漏れを防止することができる。
【００４０】
以上のように、内トレー９（貯水室）の排水口２４を排水口ガイド３２に装着する時、筒部２５と筒密着部３５とが密着し、リング部２６とリング密着部３６とが密着した状態となってから、排水バルブ２８が排水突起３３によって押し上げられ、内トレー９（貯水室）内の水が排水口ガイド３２へ流入するので、内トレー９（貯水室）と排水管３７との間から水が漏れることがなく、器具本体１の設置面を濡らすことがない。
【００４１】
また、排水トレー５内に設置された排水センサ３９がＯＮ状態になっていれば排水弁３８を閉止するので、排水トレー５から水が溢れ出す虞がなく、器具本体１を安心して使用することができる。
【００４２】
また、排水案内板４１を排水管３７に沿って平行に設置したことで、内トレー９（貯水室）を排水口ガイド３２に装着又は取り外す時、排水口２４と排水口ガイド３２との間から万一水が漏れ出しても、確実に回収して排水トレー５まで案内可能としたので、器具本体１の設置面を濡らすことがなく安心して使用することができる。
【００４３】
なお、本実施形態では、排水口２４の筒部２５とリング部２６とに排水パッキン３４の筒密着部３５とリング密着部３６とが密着して漏水を防止しているが、これに限らず例えば、筒部２５より径の大きな筒状のパッキンを排水口ガイド３２上に設置して、内トレー９（貯水室）を排水口ガイド３２上に装着する時、筒部２５が前記パッキンに覆われるようにして漏水を防止する構成等であってもよく、排水口２４と排水口ガイド３２との間から水が漏れないような排水パッキン３４の構成であればよい。
【００４４】
また、本実施形態では内トレー９（貯水室）内の貯水を回転体１４で汲み上げて破砕する水破砕式のミスト発生部を備えたミスト発生装置で説明したが、これに限らず例えば、貯水に超音波で振動を加えてミスト空気を発生させるものや、貯水を加熱して気化させることでミスト空気を発生させるものであってもよく、ミスト発生部の構成は特に限定されるものではない。
【符号の説明】
【００４５】
１    器具本体
４    送風口
５    排水トレー
８    外トレー
９    内トレー（貯水室）
１４    回転体
１６    ミストモータ
１８    多孔部
１９    送風ファン
２４    排水口
２５    筒部
２６    リング部
３２    排水口ガイド
３４    排水パッキン（漏水防止手段）
３５    筒密着部
３６    リング密着部
３７    排水管
４２    制御部
【図１】
2015094544.tif 000003
【図２】
2015094544.tif 000004
【図３】
2015094544.tif 000005
【図４】
2015094544.tif 000006
【図５】
2015094544.tif 000007
【図６】
2015094544.tif 000008